【手続補正書】
【提出日】平成29年7月19日(2017.7.19)
【手続補正１】
【補正対象書類名】明細書
【補正対象項目名】０３５４
【補正方法】変更
【補正の内容】
【０３５４】
上記の結果から、本発明にかかる潤滑剤組成物（潤滑剤組成物５）が、ジチオカルバメートとジチオホスフェートとホスファイトとの本発明にかかる組合せを含むがチアジアゾールを含まない潤滑剤組成物（潤滑剤組成物１、６および７）に匹敵する耐フレーキング性を有しているか、あるいは、そのような潤滑剤組成物よりも向上した耐フレーキング性を有していることが分かる。
なお、本発明は、実施の態様として以下の内容を含む。
〔態様１〕
少なくとも１種の基油と、
ジチオカルバメート部位を有する少なくとも１種の化合物Ａと、
ホスファイト部位を有する少なくとも１種の化合物Ｂと、
ジチオホスフェート部位を有する少なくとも１種の化合物Ｃと、
チアジアゾール部位を有する少なくとも１種の化合物Ｄと、
を含む潤滑剤組成物であって、
−ジチオカルバメート部位を有する化合物Ａが、
●  下記の一般式（Ｉ）で表される少なくとも１種のアミンジチオカルバメート（化合物Ａ−１）
【化３７】
2016525623.tif 000001
（式中、Ｒ1およびＲ2は、互いに独立して、炭素数１〜３０の、任意で置換されていてもよい炭化水素含有基であり、Ｒ3、Ｒ4およびＲ5は、互いに独立して、水素原子であるか又は炭素数１〜３０の炭化水素含有基であり、Ｒ3、Ｒ4およびＲ5のうちの少なくとも１つは水素原子でない。）と、
●  下記の一般式（ＩＩ）で表される少なくとも１種の金属ジチオカルバメート（化合物Ａ−２）
【化３８】
2016525623.tif 000002
（式中、Ｒ6およびＲ7は、互いに独立して、炭素数１〜３０の、任意で置換されていてもよい炭化水素含有基であり、Ｍは金属カチオンであり、ｎはこの金属カチオンの価数である。）との混合物であり、
−チアジアゾール部位を有する化合物Ｄが：
●  下記の式（Ｖ−ａ）で表される化合物
【化３９】
2016525623.tif 000003
（式中、Ｒ27およびＲ28は、同一又は異なって、互いに独立して、水素原子であるか、あるいは、炭素数１〜３０の、飽和又は不飽和の、直鎖アルキル基又は分岐鎖アルキル基であり、ａは１〜３の整数であり、ｂは１〜３の整数である。）；
●  下記の式（Ｖ−ｂ）で表される化合物
【化４０】
2016525623.tif 000004
（式中、Ｒ28は、水素原子であるか、あるいは、炭素数１〜３０の、飽和又は不飽和の、直鎖アルキル基又は分岐鎖アルキル基であり、ｂは１〜３の整数である。）；および
●  上記の式（Ｖ−ａ）で表される少なくとも１種の化合物と上記の式（Ｖ−ｂ）で表される少なくとも１種の化合物との混合物；からなる群から選択され、
−重量比（ジチオホスフェート部位を有する化合物：チアジアゾール部位を有する化合物）が５：１〜１：１０である、潤滑剤組成物。
〔態様２〕
態様１に記載の潤滑剤組成物において、ジチオカルバメート部位を有する化合物Ａが、
●  下記の一般式（Ｉ）で表される少なくとも１種のアミンジチオカルバメート
【化４１】
2016525623.tif 000005
（式中、Ｒ1およびＲ2は、互いに独立して、炭素数１〜３０の、任意で置換されていてもよい炭化水素含有基であり、Ｒ3、Ｒ4およびＲ5は、互いに独立して、水素原子であるか又は炭素数１〜３０の炭化水素含有基であり、Ｒ3、Ｒ4およびＲ5のうちの少なくとも１つは水素原子でない。）と、
●  下記の一般式（ＩＩ−ａ）で表される少なくとも１種の金属ジチオカルバメート
【化４２】
2016525623.tif 000006
（式中、Ｒ6およびＲ7は、互いに独立して、直鎖アルキル炭化水素含有基である。）との混合物である、潤滑剤組成物。
〔態様３〕
態様２に記載の潤滑剤組成物において、Ｒ6およびＲ7が、互いに独立して、炭素数４〜１２の直鎖アルキル基である、潤滑剤組成物。
〔態様４〕
態様１から３のいずれか一態様に記載の潤滑剤組成物において、ジチオカルバメート部位を有する化合物Ａを、当該潤滑剤組成物の総質量に対し、質量％で、０．１〜５％（好ましくは０．２〜４％、より好ましくは０．３〜２％、さらに好ましくは０．５〜１％）含有する、潤滑剤組成物。
〔態様５〕
態様１から４のいずれか一態様に記載の潤滑剤組成物において、上記の式（Ｉ）に対応するアミンジチオカルバメート（化合物Ａ−１）と上記の式（ＩＩ）に対応する金属ジチオカルバメート（化合物Ａ−２）との混合物を、当該潤滑剤組成物の総質量に対し、質量％で、０．１〜３％（好ましくは０．１〜２％、より好ましくは０．５〜２％）含有する、潤滑剤組成物。
〔態様６〕
態様１から５のいずれか一態様に記載の潤滑剤組成物において、ホスファイト部位を有する化合物Ｂが、ホスファイトモノエステル類、ホスファイトジエステル類およびホスファイトトリエステル類の各単体または２種以上の混合物である、潤滑剤組成物。
〔態様７〕
態様１から６のいずれか一態様に記載の潤滑剤組成物において、ホスファイト部位を有する化合物Ｂを、当該潤滑剤組成物の総質量に対し、質量％で、０．１〜５％（好ましくは０．２〜４％、より好ましくは０．３〜２％、さらに好ましくは０．５〜１％）含有する、潤滑剤組成物。
〔態様８〕
態様１から７のいずれか一態様に記載の潤滑剤組成物において、ジチオホスフェート部位を有する化合物Ｃが、アンモニウムジチオホスフェート類、アミンジチオホスフェート類、ジチオホスフェートエステル類および金属ジチオホスフェート類の各単体または２種以上の混合物である、潤滑剤組成物。
〔態様９〕
態様１から８のいずれか一態様に記載の潤滑剤組成物において、ジチオホスフェート部位を有する化合物Ｃを、当該潤滑剤組成物の総質量に対し、質量％で、０．１〜５％（好ましくは０．２〜４％、より好ましくは０．３〜２％、さらに好ましくは０．５〜１％）含有する、潤滑剤組成物。
〔態様１０〕
態様１から９のいずれか一態様に記載の潤滑剤組成物において、チアジアゾール部位を有する化合物Ｄを、当該潤滑剤組成物の総質量に対し、質量％で、０．１〜５％（好ましくは０．２〜４％、より好ましくは０．３〜２％、さらに好ましくは０．５〜１％）含有する、潤滑剤組成物。
〔態様１１〕
態様１から１０のいずれか一態様に記載の潤滑剤組成物において、重量比（ジチオホスフェート部位を有する化合物Ｃ：チアジアゾール部位を有する化合物Ｄ）が、３：１〜１：８（好ましくは２：１〜１：５、より好ましくは１：１〜１：５）である、潤滑剤組成物。
〔態様１２〕
態様１から１１のいずれか一態様に記載の潤滑剤組成物において、当該潤滑剤組成物が、さらに、芳香族アミン類およびフェノール誘導体類からなる群から選択される酸化防止剤を含む、潤滑剤組成物。
〔態様１３〕
態様１から１２のいずれか一態様に記載の潤滑剤組成物において、当該潤滑剤組成物が、さらに、ポリイソブテンから誘導された分散剤を含む、潤滑剤組成物。
〔態様１４〕
態様１から１３のいずれか一態様に記載の潤滑剤組成物において、当該潤滑剤組成物の、１００℃における動粘度が、ＡＳＴＭ  Ｄ４４５規格に準拠した測定値で、４〜４０ｃＳｔ（好ましくは４．１〜３２．５ｃＳｔ、より好ましくは６〜１８．５ｃＳｔ）である、潤滑剤組成物。
〔態様１５〕
態様１から１４のいずれか一態様に記載の潤滑剤組成物の使用であって、トランスミッション（例えばギアボックス、アクスルなど）（好ましくは自動車のマニュアルギアボックス）を潤滑するための使用。
〔態様１６〕
態様１から１４のいずれか一態様に記載の潤滑剤組成物の使用であって、乗り物（特には自動車）の燃料消費を減少させるための使用。
〔態様１７〕
態様１から１４のいずれか一態様に記載の潤滑剤組成物の使用であって、ギアボックスのシンクロナイザー（好ましくはマニュアルギアボックスのシンクロナイザー）の摩耗を抑えるための使用。
〔態様１８〕
潤滑剤組成物の耐摩耗性、極圧特性、摩擦特性および耐焼付き性を向上させるための、基油中における、ジチオカルバメート部位を有する少なくとも１種の化合物Ａ、ホスファイト部位を有する少なくとも１種の化合物Ｂ、ジチオホスフェート部位を有する少なくとも１種の化合物Ｃ、およびチアジアゾール部位を有する少なくとも１種の化合物Ｄの使用であって、
−ジチオカルバメート部位を有する化合物Ａが、
●  下記の一般式（Ｉ）で表される少なくとも１種のアミンジチオカルバメート（化合物Ａ−１）
【化４３】
2016525623.tif 000007
（式中、Ｒ1およびＲ2は、互いに独立して、炭素数１〜３０の、任意で置換されていてもよい炭化水素含有基であり、Ｒ3、Ｒ4およびＲ5は、互いに独立して、水素原子であるか又は炭素数１〜３０の炭化水素含有基であり、Ｒ3、Ｒ4およびＲ5のうちの少なくとも１つは水素原子でない。）と、
●  下記の一般式（ＩＩ）で表される少なくとも１種の金属ジチオカルバメート（化合物Ａ−２）
【化４４】
2016525623.tif 000008
（式中、Ｒ6およびＲ7は、互いに独立して、炭素数１〜３０の、任意で置換されていてもよい炭化水素含有基であり、Ｍは金属カチオンであり、ｎはこの金属カチオンの価数である。）との混合物であり、
−チアジアゾール部位を有する化合物Ｄが：
●  下記の式（Ｖ−ａ）で表される化合物
【化４５】
2016525623.tif 000009
（式中、Ｒ27およびＲ28は、同一又は異なって、互いに独立して、水素原子であるか、あるいは、炭素数１〜３０の、飽和又は不飽和の、直鎖アルキル基又は分岐鎖アルキル基であり、ａは１〜３の整数であり、ｂは１〜３の整数である。）；
●  下記の式（Ｖ−ｂ）で表される化合物
【化４６】
2016525623.tif 000010
（式中、Ｒ28は、水素原子であるか、あるいは、炭素数１〜３０の、飽和又は不飽和の、直鎖アルキル基又は分岐鎖アルキル基であり、ｂは１〜３の整数である。）；および
●  上記の式（Ｖ−ａ）で表される少なくとも１種の化合物と上記の式（Ｖ−ｂ）で表される少なくとも１種の化合物との混合物；からなる群から選択される、使用。